(57)【要約】【課題】  浴室以外の他の２室、及びそれら３室以外の前記住戸内空間の少なくとも３箇所からの吸気を行い必要な換気風量を確保し、且つ室内温度に応じて換気量を増減させ、常に室内空間の有害物質を屋外へ排出する。【解決手段】  浴室を含む前記３室以外の住戸内の空間に開口する補助吸気口と、該補助吸気口と前記換気手段のファンとを連結する補助吸気ダクトを備えるとともに、前記補助吸気口から吸引した空気の温度を検出するための温度検出手段および前記補助吸気口からの吸気量を調節するための補助吸気口吸気調節手段を備える補助換気手段と、温度検出手段からの信号に応じて当該住戸から屋外への排気風量が略一定となるように前記換気手段及び補助換気手段を制御する制御手段とを備えた浴室換気暖房乾燥装置を提供する。【選択図】  図２
2005241160.tif 000002
【特許請求の範囲】
【請求項１】
住戸内で浴室と浴室以外の他の２室とからそれぞれ空気を吸引して屋外へと排気するための共通のファンを含む換気手段と、前記浴室内に暖気を送給する暖房手段と、を具備する多室換気型の浴室換気暖房乾燥装置において、前記浴室を含む前記３室以外の住戸内の空間に開口する補助吸気口と、該補助吸気口と前記換気手段のファンとを連結する補助吸気ダクトを備えるとともに、前記補助吸気口から吸引した空気の温度を検出するための温度検出手段および前記補助吸気口からの吸気量を調節するための補助吸気口吸気調節手段を備える補助換気手段と、前記換気手段にあって浴室からの吸気を遮断又はその吸気風量を制限する浴室吸気調節手段と、当該住戸から屋外への排気風量が略一定となるように前記換気手段及び補助換気手段とを制御しつつ、前記暖房手段が作動する際には浴室からの吸気を停止又は吸気風量を減少させるように前記温度検出手段からの信号に応じて前記浴室吸気調節手段を制御すると共に、前記補助吸気口吸気調節手段を制御する制御手段とを備え、浴室からの吸気に依らずとも、前記浴室以外の他の２室、及びそれら３室以外の前記住戸内空間の少なくとも３箇所からの吸気を行い、共通の排気ダクトから屋外へと排気を行うようにしたことを特徴とする浴室換気暖房乾燥装置。
【請求項２】
前記制御手段は、前記補助吸気口から吸引した空気の温度が予め設定されている基準温度より高い場合は、前記補助吸気口から吸気風量を増加させるもしくは予め決められた運転パターンに応じて吸気量を調節し、吸引した空気の温度が予め設定された基準温度より低い場合は、前記補助吸気口から吸気風量を減少させるよう前記補助吸気口吸気調節手段を制御することを特徴とする請求項１に記載の浴室換気暖房乾燥装置。
【請求項３】
前記補助換気手段は、浴室を含む前記３室以外の住戸内の空間に開口する補助吸気口と、前記ファンとは独立した補助ファンと、該補助ファンと前記補助吸気口とを連結する補助吸気ダクトと、前記補助ファンと屋外とを連通する補助排気ダクトと、を有し、前記制御手段は、前記ファンと前記補助ファンとを連動させて制御することを特徴とする請求項１又は請求項２のいずれかに記載浴室換気暖房乾燥装置。
【請求項４】
浴室以外の他の２室のうちの１室はトイレであって、該トイレからの吸気を遮断又はその吸気風量を制限するトイレ吸気調節手段を更に備え、前記制御手段は、トイレの使用に対応する外部スイッチの操作に応じてトイレからの吸気を停止又は吸気風量を減少させるように前記トイレ吸気調節手段を制御することを特徴とする請求項１から請求項３のいずれかに記載の浴室換気暖房乾燥装置。
【請求項５】
屋外への排気風量が複数段階に設定可能であって、前記制御手段は、その設定排気風量と前記外部スイッチの操作とに応じてトイレからの吸気を停止又は吸気風量を減少させるように前記トイレ吸気調節手段を制御することを特徴とする請求項１から請求項４のいずれかに記載の浴室換気暖房乾燥装置。
【請求項６】
浴室以外の他の２室のうちの１室は洗面所であって、該洗面所からの吸気風量を制限する洗面所吸気調節手段を更に備え、前記制御手段は、前記暖房手段の作動時に洗面所からの吸気風量を減少させるように前記洗面所吸気調節手段を制御することを特徴とする請求項１から請求項５のいずれかに記載の浴室換気暖房乾燥装置。
【請求項７】
浴室以外の他の２室のうちの１室は洗面所であって、該洗面所からの吸気風量を制限する洗面所吸気調節手段を更に備えるとともに、該洗面所内を暖房する洗面所暖房手段を備え、前記制御手段は、前記暖房手段と前記洗面所暖房手段の少なくともいずれか一方の作動時に洗面所からの吸気風量を減少させるように前記洗面所吸気調節手段を制御することを特徴とする請求項１から請求項６のいずれかに記載の浴室換気暖房乾燥装置。
【発明の詳細な説明】
【技術分野】
【０００１】
本発明は、浴室を含む多室の同時換気を行い且つ浴室を暖房する機能を併せ持つ浴室換気暖房乾燥装置に関する。
【背景技術】
【０００２】
近年、戸建て住戸やマンション等の集合住戸では浴室換気暖房乾燥装置が標準的な住宅設備として採用されるようになってきている（例えば、非特許文献１参照）。この装置は、浴室のみの１室、浴室とトイレとの２室、或いは、浴室、洗面所及びトイレの３室の換気を同時に行う換気機能と、浴室内に暖気を供給して浴室内の温度を上昇させる暖房・乾燥機能とを併せ持つ。こうした暖房・乾燥機能を用いれば、単に浴室内を暖房して快適な入浴を行うのにとどまらず、浴室を洗濯物乾燥室として利用することができるので天候を気にせずに洗濯物の乾燥を行えるとともに、浴室内自体の湿気を除去してカビの発生を効果的に防止することができる。
【０００３】
もちろん、浴室の暖房時に同時に浴室の換気を行ってしまうと、浴室内に供給された暖気が屋外へと排出されてしまって暖房効率が悪くなる。そこで一般的には、浴室の暖房運転時には浴室の換気を停止し、暖気が屋外へと排出されることを防止している。多室型の換気装置において、こうした一部の部屋の換気を停止する構成については、例えば特許文献１などに記載されている。
【特許文献１】特開平１０−７３２９７号公報
【非特許文献１】“浴室換気暖房乾燥機「三乾王」”，［Ｏｎｌｉｎｅ］，東陶機器株式会社，［平成１５年２月３日検索］，インターネット〈ＵＲＬ：  ｈｔｔｐ：／／ｗｗｗ．ｔｏｔｏ．ｃｏ．ｊｐ／ｐｒｏｄｕｃｔｓ／ｂａｔｈ／ｂ００００８／ｉｎｄｅｘ．ｈｔｍ〉
【発明の開示】
【発明が解決しようとする課題】
【０００４】
従来の換気装置では、昼夜を問わず１日中換気を行ういわゆる２４時間換気対応が主流になりつつあるが、良好な室内環境を維持するには単に換気を行うのみならずその換気風量を或る程度確保することが重要である。また、建築基準法を始めとする法律や各種の規制によっても、住戸の室内総床面積に応じた所定の換気風量を確保することが規定されるようになってきている。一般に、こうした換気風量は住戸内から屋外への総排気量で規定されており、２室又は３室の多室換気装置の場合には、総排気量は各室からの吸気風量の総和となる。
【０００５】
そのため、浴室換気暖房乾燥装置において上述した如く浴室の暖房を行う際に浴室換気を停止してしまうと、それ以前と同程度の換気風量を確保するためには、他の部屋からの吸気風量を増やさざるをえない。しかしながら、吸気口と装置本体とを接続する吸気ダクト等の断面積には施工上の限界があるため、従来の構成では、或る１室の換気を停止したときにそれ以前の換気風量を維持することは困難であった。
【０００６】
また、換気風量の維持が可能であったとしても、例えば浴室換気を停止したときにトイレや洗面所の吸気口での吸込み音が異常に増大し使用者に不安感を与えたり、急に吸い込み風量が増加して使用者が肌寒く感じたりするといった問題が生じる恐れがあった。
【０００７】
更に、従来の換気の主な目的は湿気の除去や臭気の除去であり、浴室、洗面所、トイレといったいわゆる水廻り設備が配置された部屋の空間内を換気することが非常に有用であった。これに対し、近年、こうした局所的な換気ではなく住戸内全体の換気の必要性が一般にも認識されるようになってきている。これは、住宅の高気密化、高断熱化に伴い、住戸内全体での換気量の不足によって室内空気の汚染、結露の発生、アレルギーの増加といった様々な問題が生じていることや、更には、室内の内装材に使用されるホルムアルデヒド等の化学物質に起因するいわゆるシックハウス症が社会的に大きな問題となっていることなどがある。
また、室内に使用される建築材料からの有害物質は、温度に関係しており、一般的には温度が高いと有害物質の放散量が増え、温度が低いと放散量が減るといわれているが、温度変化に対応する換気は成されていないのが現状である。
【０００８】
本発明はこのような課題に鑑みて成されたものであり、その主たる目的とするところは、如何なる運転を実行した場合であっても居住者の快適性を損なうことがなく、且つ必要な換気風量を確保することができ、有害物質に対応する効果的な換気にも対応する浴室換気暖房乾燥装置を提供することにある。
【課題を解決するための手段】
【０００９】
上記課題を解決するために成された本発明は、住戸内で浴室と浴室以外の他の２室とからそれぞれ空気を吸引して屋外へと排気するための共通のファンを含む換気手段と、前記浴室内に暖気を送給する暖房手段と、を具備する多室換気型の浴室換気暖房乾燥装置において、浴室を含む前記３室以外の住戸内の空間に開口する補助吸気口と、該補助吸気口と前記換気手段のファンとを連結する補助吸気ダクトを備えるとともに、前記補助吸気口から吸引した空気の温度を検出するための温度検出手段および前記補助吸気口からの吸気量を調節するための補助吸気口吸気調節手段を備える補助換気手段と、換気手段にあって浴室からの吸気を遮断又はその吸気風量を制限する浴室吸気調節手段と、当該住戸から屋外への排気風量が略一定となるように換気手段及び補助換気手段を制御しつつ、暖房手段が作動する際には浴室からの吸気を停止又は吸気風量を減少させるように温度検出手段からの信号に応じて前記浴室吸気調節手段を制御すると共に、前記補助吸気口吸気調節手段を制御する制御手段とを備え、浴室からの吸気に依らずとも、前記浴室以外の他の２室、及びそれら３室以外の住戸内空間の少なくとも３箇所からの吸気を行えるようにしたことを特徴としている。
【００１０】
本発明に係る浴室換気暖房乾燥装置は、主として補助換気手段の形態の相違に応じて、大別して２つの実施形態が考え得る。その１つは、補助換気手段が、浴室を含む前記３室以外の住戸内の空間に開口する補助吸気口と、該補助吸気口と前記換気手段のファンとを連結する補助吸気ダクトとを有し、該ファンの作動により前記補助吸気口から空気を吸引して共通の排気ダクトから屋外へと排気を行う構成としたものである。  また他の１つは、補助換気手段が、浴室を含む前記３室以外の住戸内の空間に開口する補助吸気口と、補助吸気口の近傍には温度検出手段および補助吸気口からの吸気量を調節するための前記ファンとは独立した補助ファンと、該補助ファンと前記補助吸気口とを連結する補助吸気ダクトと、前記補助ファンと屋外とを連通する補助排気ダクトと、を有し、前記制御手段は、前記ファンと前記補助ファンとを連動させて制御する構成としたものである。
【００１１】
前者の実施形態では、補助吸気口及び補助吸気ダクトは換気手段とは別に設けられるが、補助吸気ダクトを通して補助吸気口から空気を吸引するためのファンは換気手段のファンが共用される。一方、後者の実施形態では、補助ファン、補助排気ダクトも換気手段とは別に設けられ、制御手段はファンと補助ファンの２つを関連付けて動作させる。いずれの構成においても、浴室を含む前記３室以外の住戸内空間から直接的に空気が吸引され、屋外へと排出されることになる。
【００１２】
従来の多室型の換気装置は、浴室、洗面所、トイレといった水廻り設備の配置された、そもそも換気することが非常に重要であった部屋から空気を吸引し、それによって通気開口や扉の隙間等で連通した住戸内の他の部屋の空気も吸引することを意図していた。それに対し、本発明に係る浴室換気暖房乾燥装置では、その部屋の空間自体はそれほど換気を要しない（つまり、必ずしも水廻り設備が配設されているわけではなく、それ故に湿気や臭気の発生源とはならないがホルムアルデヒド等の化学物質の発生源となる）ような場所に補助吸気口を設ける。補助吸気口を設ける場所としては、リビングルームを含む居室、廊下、玄関等の居住空間のみならず、ウォーキングクローゼット等を含む納戸や、天井裏等の非居住空間であってもよい。
【００１３】
本発明に係る浴室換気暖房乾燥装置によれば、浴室暖房の際に浴室からの吸気が停止又は吸気風量が減少された場合でも、他の２室に加えて補助吸気口が開口した空間からの吸気が行われるため、無理なく充分な排気風量を確保することができる。具体的には、現在施行が予定されている法的な基準では、住戸空間内全体の換気回数を０．７回／時間程度とするように総床面積に対する換気風量が定められているが、本発明ではこうした要求に充分に応えることができると共に、温度検出手段かたの信号により室内の温度が高い場合には換気量を増やし、室内の温度が低い場合は換気量を減らすようにすれば常に室内空間の有害物質の発生状況に応じて効果的に有害物質を屋外へ排出することができると共に、必要以上に換気し肌寒く感じることもなくさらには吸気音も軽減することができ快適な空間をつくることができる。
【００１４】
さらには、補助吸気口から吸引した空気の温度が予め設定されている基準温度より高い場合は、前記補助吸気口から吸気風量を増加させるもしくは予め決められた運転パターンに応じて吸気量を調節するようにしたことで、例えば室内の温度が高いケースとして夏場が考えられるがその場合は換気量を増やしても肌寒く感じることもないため不快感は感じないが居室の場合にはエアコンなどの暖房装置による暖房にて室内温度が上昇し空気の温度が高くなっている場合がある。つまり、冬場の場合は換気をし過ぎると室内の温度が下がるとともに吸引する風の流れにより肌寒く感じるとともに暖められた空気が屋外へ排出されてしまい暖房効率が悪くなる。そこで、予め決められた運転パターン例えば、一定時間補助吸気口からの換気を最大もしくは換気量を少なくして換気し、一定時間経過後換気を停止し、さらに一定時間経過するとまた換気を始めるというような制御にすれば有害物質が室内に滞留することがないとともに暖房効率の低下を防ぐことも可能となる。
【００１５】
また、吸引した空気の温度が予め設定された基準温度より低い場合は、補助吸気口から吸気風量を減少させるようにすることで、例えば、夏場を考えると室内はエアコンにより室内の空気温度が低下し快適な状態になっているが室温に関係なく一定量の換気を行ってしまうと、室外の暖かい空気が室内へ流入していくらエアコンを動作させていても設定温度に到達せず、最大運転を行ったままの状態となり、エアコンの電気代がかかり不経済である。しかし、室内の温度が低い場合は、建築材料からでる有害物質も減少するため、換気量を低減させることで冷房効率の低下を防ぐことが可能となる。
【００１６】
また、浴室の換気を停止したときに、他の２室、具体的には例えばトイレや洗面所からの吸気風量の急激な増加が抑制されるので、吸い込み音が異常に大きくなることを防止できるとともに、他の部屋からその２室に流入する風量が急激に増加することも回避できるので、トイレや洗面所を使用している人が肌寒く感じることを軽減できる。
【００１７】
また、上記前者の構成では、換気手段のファンを補助換気手段にも共用しているので、システムを構築する際のコストの増加を抑制することができる。一方、後者の構成では、補助換気手段を設置する場所の自由度が高いので、補助吸気口を換気手段から遠く離して配置しなければならないような場合にも対応が容易である。
【００１８】
また、こうした浴室換気暖房乾燥装置では、浴室の換気を停止したり吸気風量を落としたりする以外に、その他の２室においても換気を停止したり吸気風量を落としたりすることが適当な場合がある。そこで、本発明の一態様として、浴室以外の他の２室のうちの１室はトイレであって、該トイレからの吸気を遮断又はその吸気風量を制限するトイレ吸気調節手段を更に備え、前記制御手段は、トイレの使用に対応する外部スイッチの操作に応じてトイレからの吸気を停止又は吸気風量を減少させるように前記トイレ吸気調節手段を制御する構成とすることができる。
【００１９】
この構成では、トイレを使用するために外部スイッチがオンされたときにトイレからの吸気を開始したり吸気風量を増加したりし、外部スイッチがオフされるとトイレの使用が終了したと判断し、その時点又はそれから適宜遅れた時点でトイレからの吸気を停止したり吸気風量を減少させたりする。この際、好ましくは浴室換気の有無を考慮し、浴室換気が行われているときにはトイレ吸気は停止し、浴室換気が停止しているときにはトイレの換気は停止せずに吸気風量を落とすだけとするといった適宜の制御を行うとよい。この構成によれば、例えばトイレ暖房を行っている場合に、トイレが非使用であるときには高い暖房効率を確保してトイレ内を充分に暖房し、トイレが使用中であるときには換気を充分に行って臭気を迅速に屋外へと排出することができる。
【００２０】
なお、屋外への排気風量が複数段階に設定可能である場合には、その排気風量の大小に応じてより効率的に換気運転を行うことが望ましい。即ち、この場合には、前記制御手段は、その設定排気風量と前記外部スイッチの操作とに応じてトイレからの吸気を停止又は吸気風量を減少させるように前記トイレ吸気調節手段を制御する構成とする。そして例えば、排気風量が小でよい場合には、トイレが非使用であれば浴室換気の有無に拘わらずトイレ換気を停止するといった制御を行い、暖房効率をより一層高めることができる。
【００２１】
また本発明の別の態様として、浴室以外の他の２室のうちの１室は洗面所であって、該洗面所からの吸気風量を制限する洗面所吸気調節手段を更に備え、前記制御手段は、前記暖房手段の作動時に洗面所からの吸気風量を減少させるように前記洗面所吸気調節手段を制御する構成としてもよい。一般に浴室暖房時には入浴しようとする者が洗面所（脱衣室）に居る場合もよくあるが、浴室換気を停止したことによって洗面所からの吸気風量が増加すると、洗面所に居る入浴者が肌寒く感じることがある。上記構成によれば、浴室暖房時に洗面所からの吸気風量が増加することを抑制できるので、こうした入浴者の不快感を軽減することができる。
【００２２】
さらに別の態様として、浴室以外の他の２室のうちの１室は洗面所であって、該洗面所からの吸気風量を制限する洗面所吸気調節手段を更に備えるとともに、該洗面所内を暖房する洗面所暖房手段を備え、前記制御手段は、前記暖房手段と前記洗面所暖房手段の少なくともいずれか一方の作動時に洗面所からの吸気風量を減少させるように前記洗面所吸気調節手段を制御する構成としてもよい。この構成によれば、洗面所暖房時には洗面所からの換気風量を落とすことができるので、洗面所の暖房を効率良く行うことができる。また、浴室暖房が行われず洗面所暖房のみが行われる場合には、洗面所換気のみを停止することができるので、洗面所暖房を一層効率良く行うことができるとともに、例えば入浴後等に浴室内を迅速に換気することができる。
【発明の効果】
【００２３】
本願の発明によれば、住戸空間総床面積に対する換気風量の要求に充分に応えることができ、常に室内空間の有害物質の発生状況に応じて効果的に有害物質を屋外へ排出することができるため快適な空間をつくることができる。
【発明を実施するための最良の形態】
【００２４】
〔第１実施例〕
まず、本発明に係る浴室換気暖房乾燥装置の第１実施例について、図１〜図４を参照しながら説明する。
【００２５】
図１は本実施例の浴室換気暖房乾燥装置を設置した住戸の概略縦断面図、図３は本システムを集合住宅の住戸に設置した場合の概略平面図である。住戸１内には、水廻り設備を配置した部屋として浴室２、洗面所３、トイレ４が配置され、それ以外に居室５を始め、台所やリビングルームなどが配置されている。浴室換気暖房乾燥装置本体（以下、単に装置本体という）２０は浴室２の天井裏に設置されており、屋外に開口した排気口７と排気ダクト６により連通し、洗面所３内に開口した洗面所吸気グリル９と洗面所吸気ダクト８により連通し、トイレ４内に開口したトイレ吸気グリル１１とトイレ吸気ダクト１０により連通し、居室５内に開口した居室吸気グリル１３と居室吸気ダクト１２により連通している。洗面所３の壁面には操作用のリモコン１４が取り付けられ、リモコン１４と装置本体２０とは図１中に点線で示す通信線で接続されている。
【００２６】
図２は本実施例の浴室換気暖房乾燥装置における装置本体２０の構成を示す概略横断面図である。装置本体２０は、浴室２の暖房・乾燥を行うために、循環区画室２１内に循環モータ２２、循環ファン２３及びヒータ２４を備え、浴室２内と吸気口２５及び吹出口２６を通して連通している。一方、換気を行うために、換気区画室２７内に換気モータ２８及び換気ファン２９を備え、この換気区画室２７には排気ダクト６、洗面所吸気ダクト８、トイレ吸気ダクト１０、及び居室吸気ダクト１２が接続されている。これら吸気ダクト８、１０の接続口にはそれぞれ換気区画室２７内方にのみ開放する逆流防止ダンパ３４、３５が設けられ、吸気ダクト１２には補助吸気切換ダンパ５４が設けられている。また、吸気口３１を通して浴室２に連通する連結区画室３０は、浴室切換ダンパ３３で開閉される通気口３２を介して換気区画室２７と連通している。循環モータ２２、ヒータ２４、換気モータ２８、及び浴室切換ダンパ３３はマイクロコンピュータを含む制御部４０によりその動作が電気的に制御される。
また、居室吸気ダクト１２の経路中に居室グリル１３から吸気した空気の温度を検出するサーミスタ５５を配設し、吸気量を調節するための補助吸気切換ダンパ５４を補助吸気口１３の近傍に備えている。
【００２７】
本システムでは基本的に常時換気を行っており、装置本体２０において、制御部４０は換気モータ２８を駆動するとともに浴室切換ダンパ３３を開放状態とする。換気ファン２９の回転により、図２に示すように逆流防止ダンパ３４、３５及び補助吸気切換ダンパ５４が開いて洗面所吸気ダクト８、トイレ吸気ダクト１０、及び居室吸気ダクト１２から換気区画室２７内に空気が吸い込まれるとともに、吸気口３１を経て浴室２からも空気が吸い込まれ、これらはいずれも合流して排気ダクト６へと送り出される。
【００２８】
このとき居室グリル１３から吸い込まれた空気の温度をサーミスタ５５により検知し、居室グリル１３から吸引した空気の温度が予め制御部４０に記憶された基準温度より高い場合には補助吸気切換ダンパ５４を開く方向へ動作させ、吸引量を増やす、しかし居室から吸引した空気の温度が高いケースとして冬場室内で暖房している事が想定されその場合は、吸引量を増やす。しかし、室内の温度が低下したり、肌寒く感じる事があるため吸引量を調整することにより室内の温度低下を防ぎつつ、換気も行うようにしているものである。調整方法につきここでは詳細は触れないが補助吸気切換ダンパ５４の開度を一定時間開にして、規定時間経過すると開度を一定時間閉にするような運転パターンなどがある。サーミスタ５５からの信号とここでは図示していないが外気温度を検出できるサーミスタからの信号により冬期なのか否かを判断し、ダンパの制御パターンを切り替えるようにしてもよいものである。
【００２９】
また、補助吸気切換ダンパ５４からの吸気温度が低い場合には補助吸気切換ダンパ５４を閉じる方向へ動作させ吸引量を減らす。このように制御することで居室内でエアコン等を使用していても室内の暖めた空気や冷やした空気が屋外に無駄に排出されることがなく冷暖効率を下げなくてすむとともに快適性を確保できる。
【００３０】
この制御部４０の制御の下に行われる、本実施例の浴室換気暖房乾燥装置の特徴的な動作の一例について、図４の制御フローチャートを参照して説明する。
換気運転中Ｓ３０に居室グリル１３から吸引された空気の温度を検出し、予め決められた基準温度との比較をステップ３１で行い、基準温度が吸気温度より低い場合は、ステップ３２にて補助吸気ダンパを閉じる方向へ動作させ吸引量を減少させる。室温が低い場合には夏場で冷房している可能性が高くさらには建築材料からの有害物質の放散量が低いため屋外への排出量を低減させてもよいすなわち吸気量を低減させることで室内の冷気を無駄に排出することなく、吸引時の騒音も低減することができるものである。つぎに、ステップ３１で判断した吸気温度が基準温度より高い場合につき説明する。吸気温度が高い場合は建築材料からの有害物質の放散量が多くなるため屋外への排出量を増やさないといけない。しかし、室内温度が高い場合は冬期に室内で暖房していることが考えられるその場合に換気量を単純に増やしてしまうとせっかく暖めた空気が屋外へ排出されてしまい室温が低下すると等の不具合を生じてしまう。そこで、室内に有害物質が滞留せず、室温の低下も招かないようにするために一制御例としてステップ４０からステップ４３に記載しているように補助吸気ダンパの開度を予め決められた時間毎に開閉することにより上記課題を改善することが可能となるものである。
【００３１】
上記状態において使用者がリモコン１４で暖房ボタンを押すと（ステップＳ１１で「はい」）、この操作信号を受けて制御部４０は循環モータ２２を作動させるとともにヒータ２４に通電を行う（ステップＳ１２）。それによって、循環ファン２３が回転し、吸気口２５から浴室２内の空気を循環区画室２１内に吸い込む。この空気はヒータ２４のフィンを通過する際に熱交換によって加熱され、暖気となって吹出口２６から浴室２内へと送り出される。こうして浴室２内の空気を循環区画室２１内に循環させながら、浴室２内を昇温してゆく。
【００３２】
上記のような浴室暖房中に浴室換気を行うと、せっかく生成した暖気がすぐに排出されてしまい浴室２内の昇温に支障をきたす。また、使用者が入浴中である場合には、浴室２の扉の隙間等から浴室２内に吸気された冷気が使用者の身体に当たり肌寒く感じる。そこで、換気運転中であっても暖房運転が指示された場合には、制御部４０は浴室切換ダンパ３３を閉鎖する（ステップＳ１３）。これはステップＳ１２に先立って行っても同時でも構わない。これにより、浴室２からの吸気は停止し、残りの洗面所吸気ダクト８、トイレ吸気ダクト１０、及び居室吸気ダクト１２からの吸気のみが行われる。
【００３３】
従来のように居室吸気ダクト１２が存在しない構成では、浴室２からの吸気を停止して洗面所３及びトイレ４の２室のみからの吸気に切り替えると、その切替えの前後においても制御部４０は排気風量をほぼ一定に維持しようと制御するため、それぞれの吸気ダクト８、１０からの吸気風量が大きく増加して吸気グリル９、１１での吸い込み音が異常に増加してしまう。これに対し、本実施例のシステムでは、居室吸気ダクト１２からの吸気も同時に行われているため、各吸気グリル９、１１、１３における吸気風量の増加は小さく、吸い込み音が異常に大きくなったり、通風量が急に増加してその部屋に居る居住者が肌寒く感じたりするといった弊害が生じにくい。
【００３４】
そして、暖房ボタンが再び押されてオフされると（ステップＳ１４で「はい」）、制御部４０は循環モータ２２を停止させるとともにヒータ２４への通電も遮断する（ステップＳ１５）。更に、浴室切換ダンパ３３を開放して、浴室２内の換気を再開する（ステップＳ１６）。これにより、浴室２を含めた４室からの吸気に戻る。
これによって、浴室２、洗面所３、トイレ４、及び居室５内の換気が達成される（ステップＳ３０）。なお、このとき、制御部４０は換気ファンの出口側、つまり排気ダクト６を経た排気風量がほぼ一定になるように換気モータ２８の回転速度を制御する
【００３５】
なお、上記実施例では浴室２、洗面所３及びトイレ４以外に、居室５に吸気グリル（補助吸気口）１３を設けたが、この補助吸気口の設置場所は、廊下、納戸、押入、天井裏等、上記室以外のいずれの場所でもよい。但し、装置本体２０から遠い場所であると吸気ダクト１２が長くなるため、ダクトの断面積が同一であるとすると圧損（流路抵抗）が大きくなって吸気風量を大きくするのが困難になる。従って、こうした点から考えると、装置本体２０からできるだけ近い位置に吸気グリル１３を設けることが望ましく、その点では可能であれば天井裏が好ましい。更には、天井裏換気を行えば、天井裏に滞留している化学物質（ホルムアルデヒドなど）を屋外へ排出することができ、室内へこうした有害な物質が逆流してくることを防止するのにも有効である。
【００３６】
〔第２実施例〕
本発明に係る浴室換気暖房乾燥装置の第２実施例について、図５〜図７を参照しながら説明する。図５は第２実施例の浴室換気暖房乾燥装置を設置した住戸の概略縦断面図、図６は本実施例の浴室換気暖房乾燥装置における装置本体２０の構成を示す概略横断面図、図７は動作の一例を示すフローチャートである。なお、これら各図において、上記第１実施例と同一の構成要素については同一符号を付して説明を省略する。
【００３７】
この第２実施例は、図５に示すように、冬期間、トイレ５内を暖房するためにトイレ暖房機１６を設置していることを想定している。このときトイレ換気のオン・オフを行うためのトイレスイッチ１５の操作信号は、信号線を介して装置本体２０に接続されている。なお、このスイッチはトイレ換気スイッチでなくとも、換気動作と連動したトイレ照明スイッチでもよい。装置本体２０では、換気区画室２７へのトイレ吸気ダクト１０の接続部分に、第１実施例において設けられていた逆止防止ダンパに代えて、制御部４０により開閉動作が制御されるトイレ切換ダンパ４１を備える。
【００３８】
この制御部４０の制御の下に行われる、本実施例の浴室換気暖房乾燥装置の特徴的な動作の一例について、図７の制御フローチャートを参照して説明する。
換気運転中Ｓ３０に居室グリル１３から吸引された空気の温度を検出し、予め決められた基準温度との比較をステップ３１で行い、基準温度が吸気温度より低い場合は、ステップ３２にて補助吸気ダンパを閉じる方向へ動作させ吸引量を減少させる。室温が低い場合には夏場で冷房している可能性が高くさらには建築材料からの有害物質の放散量が低いため屋外への排出量を低減させてもよいすなわち吸気量を低減させることで室内の冷気を無駄に排出することなく、吸引時の騒音も低減することができるものである。つぎに、ステップ３１で判断した吸気温度が基準温度より高い場合につき説明する。吸気温度が高い場合は建築材料からの有害物質の放散量が多くなるため屋外への排出量を増やさないといけない。しかし、室内温度が高い場合は冬期に室内で暖房していることが考えられるその場合に換気量を単純に増やしてしまうとせっかく暖めた空気が屋外へ排出されてしまい室温が低下すると等の不具合を生じてしまう。そこで、室内に有害物質が滞留せず、室温の低下も招かないようにするために一制御例としてステップ４０からステップ４３に記載しているように補助吸気ダンパの開度を予め決められた時間毎に開閉することにより上記課題を改善することが可能となるものである。
【００３９】
本システムでも基本的に常時換気を行っているが、その際にトイレ切換ダンパ４１は閉鎖されている（ステップＳ３０）。これは、トイレ４からの吸気によって暖房中のトイレ４内の暖気が屋外へと排出されてしまうことを防止するためである。従って、常時換気中には、浴室２、洗面所３、及び居室５の３室からの吸気が行われている。この状態において使用者がトイレ４を利用するためにトイレスイッチ１５をオンにすると（ステップＳ２０で「はい」）、この操作信号を受けて制御部４０はトイレ切換ダンパ４１を開放する。これによってトイレ４からの吸気が開始され（ステップＳ２２）、トイレ４内の臭気が速やかに屋外へと排出される。
【００４０】
使用者がトイレ４から退出してトイレスイッチ１５をオフにし（ステップＳ２０で「いいえ」）、さらに暖房ボタンがオフの場合は（ステップＳ２１で「いいえ」）、制御部４０はその時点から所定時間が経過するまで待機し（ステップＳ２３）、その後にトイレ切換ダンパ４１を閉鎖してトイレ換気を停止する（ステップＳ２４）。トイレスイッチ１５のオフ操作後に所定時間待機するのは、使用後にトイレ４内に残る臭気を確実に屋外へと排出するためである。
また、暖房ボタン操作時の動作を示すステップＳ２５からステップＳ２９は、図４のフローチャートで示したステップＳ１１からステップＳ１６と同様の内容であるため詳細の説明は省略するものとする。
【００４１】
以上のように、この第２実施例のシステムは基本的には３室換気であって、トイレ４の使用時にトイレ換気が追加されて４室換気になる。しかしながら、３室換気時に浴室暖房のための暖房ボタンが操作され、第１実施例で説明したように浴室２からの吸気を停止してしまうと２室換気になってしまい、排気風量が不足したり吸い込み音が異常増加したりする可能性がある。そこで、トイレスイッチ１５がオンされずに３室換気状態であるとき暖房ボタンが押されると（ステップＳ２１）、制御部４０はまずトイレ切換ダンパ４１を開放し、４室換気に移行させる（ステップＳ２２）。その後に、既に説明したように循環ファン２３の作動によりヒータ２４で加熱した暖気を浴室２内へと送給し、浴室切換ダンパ３３を閉鎖して浴室換気を停止する（ステップＳ２６、Ｓ２７）。これにより、浴室換気を停止しても３室換気が維持される。そして、浴室暖房が終了して浴室換気を開始した後に（ステップＳ２８，Ｓ２９）、再びトイレ切換ダンパ４１を閉鎖してトイレ換気を停止する（ステップＳ２４）。
また、暖房運転中にトイレＳＷがＯＦＦされてもトイレ切換ダンパを開放のままにしているのは（ステップＳ２２）、暖房運転中でありかつトイレＳＷがオフの状態では、浴室切換ダンパ３３が閉鎖されており、さらにはトイレ切換ダンパ４１が閉鎖されることになるため、洗面所３、及び居室５の２室からの吸気となるため吸気音が増大するため、暖房運転で停止するまではトイレ切換ダンパ４１を開放にし、洗面所３、トイレ４及び居室５の３室換気を維持するようにしたものである。
【００４２】
なお、上記説明はトイレ切換ダンパ４１が開放又は閉鎖の２状態のいずれかをとる場合であるが、トイレ切換ダンパ４１の開度が複数段階又は無段階に調節可能であるような構成では、より細かい制御を行うことができる。一例を挙げると、換気風量（排気風量）が異なる換気強・換気弱の２段階に切換え可能な運転において、換気弱が選択された場合には、上記ステップＳ３０ではトイレ切換ダンパ４１を完全に閉鎖し、換気強が選択された場合にはトイレ切換ダンパ４１を少し開放しておく。そして、トイレスイッチ１５がオンされた後のステップＳ２２ではトイレ切換ダンパ４１を完全に開放する。このような制御を行うことにより、必要な換気風量を確実に確保しつつ、トイレ４内の暖気をあまり屋外へと逃がすことなく効率的な暖房を行い、且つトイレ４の使用時には臭気を迅速に屋外へと排出することができる。
【００４３】
〔第３実施例〕
一般に洗面所３は入浴時の脱衣所として利用されるため、近年、浴室２と併せて洗面所３も暖房したいという要望が高まっている。この第３実施例の浴室換気暖房乾燥装置はこうした場合の構成の一例である。図８は第３実施例の浴室換気暖房乾燥装置を設置した住戸の概略縦断面図、図９は装置本体２０の構成を示す概略横断面図である。
【００４４】
この実施例のシステムでは、洗面所暖房機１７が洗面所３の壁面に取り付けられており、この洗面所暖房機１７はリモコン１４に設けられた、浴室暖房用のボタンとは独立の洗面所暖房ボタンの操作によりオン・オフされるようになっている。また、第２実施例においてトイレ吸気ダクト１０の接続部にトイレ切換ダンパ４１を備えていたのと同様に、この第３実施例における装置本体２０では洗面所吸気ダクト８の接続部に洗面所切換ダンパ４２を備える。ここでは、洗面所切換ダンパ４２は少なくとも全開、半開、閉鎖の３状態に切換え可能である。
【００４５】
次に、このシステムの制御の一例を説明する。リモコン１４で浴室暖房ボタンのみがオンされた場合の動作は第１実施例と同じである。リモコン１４で浴室暖房ボタンはオンされずに洗面所暖房ボタンのみがオンされた場合には、制御部４０は洗面所暖房機１７を作動させて洗面所３の暖房を開始するとともに洗面所切換ダンパ４２を閉鎖する。これにより、暖房中の洗面所３からの吸気は停止するが、浴室２、トイレ４、居室５の３室換気が行われるので充分な換気風量を確保することが可能である。洗面所３の暖気は屋外へ排出されないので、効率的な暖房が行える。
【００４６】
浴室暖房と洗面所暖房の両方が同時に指示された場合、制御部４０は換気風量に応じて制御を変更する。即ち、換気強が設定されていて相対的に大きな換気風量を確保する必要がある場合には、浴室切換ダンパ３３は閉鎖して浴室換気を停止させるが、洗面所切換ダンパ４２は閉鎖せずに半開状態とし、洗面所３からの或る程度の換気風量を確保する。この場合には、暖房中である洗面所３で換気が行われることによって暖房効率が若干悪くなるが、換気風量を確保することを優先してトイレ４及び居室５からの吸気量が急激に増加することを回避する。一方、換気弱が設定されていて相対的に小さな換気風量でよい場合には、２室換気で充分対応可能であるので、浴室切換ダンパ３３、洗面所切換ダンパ４２をともに閉鎖する。これにより、浴室２と洗面所３の換気がともに停止するので暖房効率が良くなる。
【００４７】
なお、上記構成では、制御部４０は洗面所暖房ボタンの操作に応じて切換ダンパ３３、４２の動作を制御しているが、洗面所暖房機１７のオン・オフ操作が装置本体２０とは連動していない構成も考え得る。その場合でも、浴室暖房ボタンのオン・オフ操作に応じて洗面所切換ダンパ４２の開閉を制御することは有益である。即ち、浴室暖房時には洗面所暖房機１７が作動している可能性も高く、一般に脱衣室として使用される洗面所３内に入浴前又は入浴後の人が居る場合も多い。従って、浴室暖房ボタンがオン操作されたときに洗面所切換ダンパ４２を閉鎖するか或いは開度を小さくすれば、洗面所３内の暖気が屋外へと排出されにくく、しかも他の部屋から洗面所３内へ流入する冷気が抑制されるので、使用者が肌寒く感じることを軽減することができる。
【００４８】
〔第４実施例〕
第１〜第３実施例による浴室換気暖房乾燥装置では、補助吸気口（居室吸気グリル１３）から吸気を行うためのファンは他の３室からの吸気を行う換気ファン２９が兼ねていた。そのためには、居室吸気グリル１３と装置本体２０とを居室吸気ダクト１２で接続する必要があるから、装置本体２０に近接して居室吸気グリル１３を設けることができない場合、長い吸気ダクト１２が必要になりそこでの圧損が大きくなる。そうした場合、居室吸気ダクト１２を介して換気ファン２９で充分な吸気を行うことが難しくなり、全体の換気風量の低下に繋がることがある。特に、床面積の大きな住戸ではこうしたケースも想定する必要がある。この第４実施例による浴室換気暖房乾燥装置はこうした場合に好適なシステムである。
【００４９】
図１０は第４実施例による浴室換気暖房乾燥装置を設置した住戸の概略縦断面図、図１１はこのシステムにおける装置本体２０とこれに関連する別体の補助換気装置１８の構成を示す概略横断面図である。第４実施例によるシステムでは、装置本体２０は浴室２、洗面所３及びトイレ４の３室の換気を担い、他の居室５の換気は別体の補助換気装置１８が担う。この補助換気装置１８は補助排気ダクト１９を介して、排気口７ａとは異なる別の補助排気口７ｂに連通している。制御部４０は装置本体２０のみならず、この補助換気装置１８において、換気室５１内に配置された換気ファン５３を回転駆動するモータ５２の動作を制御する。
また、ここでは図示していないが居室からの吸気の温度を検出するためのサーミスタを補助換気装置１８内に設置した構成にしてもよいものである。
【００５０】
次に、この制御部４０の制御の下における、本システムの典型的な動作について説明する。通常の常時換気運転時には、制御部４０は換気モータ２８を作動させ、浴室切換ダンパ３３を開放させる。その一方、補助換気装置１８のモータ５２はオフ状態に維持する。従って、このときには浴室２、洗面所３及びトイレ４の３室換気となっており、充分な換気風量が確保できる。もちろん、特に換気風量を大きくしたい場合にはモータ５２を作動させて補助換気装置１８により居室５からの吸気も行うようにすれば、換気風量の増加に伴う吸い込み音の増加を軽減することができる。
【００５１】
こうした常時換気運転中に、使用者がリモコン１４で浴室暖房ボタンを押すと、制御部４０は既に説明した図４中のステップＳ１１、Ｓ１２、Ｓ１３の処理を実行し、浴室２の換気を停止する。同時に、補助換気装置１８のモータ５２を作動させ、居室５からの吸気を開始する。即ち、浴室２の換気を停止した分の換気風量を、補助換気装置１８による居室５からの換気風量で補うわけである。なお、補助換気装置１８が換気風量の切替え機能を有してる構成においては、全体の換気風量（総排気風量）と浴室２、洗面所３、及びトイレ４のそれぞれの換気の状態（換気停止、換気風量小又は換気風量大など）とに応じて、補助換気装置１８での換気風量を調節すればよい。さらには、本実施例においては居室からの吸気温度を検出するためのサーミスタは図示していないがサーミスタを設置していればサーミスタからの信号に応じて換気風量を調節するようにすれば居室内の暖気や冷気を必要以上に屋外に逃がすことがなく効率的な冷暖房を行うことが出来る。
【００５２】
なお、上記第１〜第４実施例による浴室換気暖房乾燥装置はいずれも単に本発明の一例にすぎず、本発明の趣旨の範囲で適宜、変更、修正、追加を行っても本発明に包含されることは当然である。
【図面の簡単な説明】
【００５３】
【図１】本発明に係る第１実施例の浴室換気暖房乾燥装置を設置した住戸の概略縦断面図。
【図２】第１実施例の浴室換気暖房乾燥装置における装置本体の構成を示す概略横断面図。
【図３】第１実施例の浴室換気暖房乾燥装置を集合住戸に設置した場合の概略平面図。
【図４】第１実施例の浴室換気暖房乾燥装置の特徴的な動作を示す制御フローチャート。
【図５】本発明に係る第２実施例の浴室換気暖房乾燥装置を設置した住戸の概略縦断面図。
【図６】第２実施例の浴室換気暖房乾燥装置における装置本体の構成を示す概略横断面図。
【図７】第２実施例の浴室換気暖房乾燥装置の特徴的な動作を示す制御フローチャート。
【図８】本発明に係る第３実施例の浴室換気暖房乾燥装置を設置した住戸の概略縦断面図。
【図９】第３実施例の浴室換気暖房乾燥装置における装置本体の構成を示す概略横断面図。
【図１０】本発明に係る第４実施例の浴室換気暖房乾燥装置を設置した住戸の概略縦断面図。
【図１１】第４実施例の浴室換気暖房乾燥装置における装置本体と別体の補助換気装置の構成を示す概略横断面図。
【符号の説明】
【００５４】
１…住戸
２…浴室
３…洗面所
４…トイレ
５…居室
６…排気ダクト
７、７ａ…排気口
７ｂ…補助排気口
８…洗面所吸気ダクト
９…洗面所吸気グリル
１０…トイレ吸気ダクト
１１…トイレ吸気グリル
１２…居室吸気ダクト
１３…居室吸気グリル
１４…リモコン
１５…トイレスイッチ
１６…トイレ暖房機
１７…洗面所暖房機
１８…補助換気装置
１９…補助排気ダクト
２０…装置本体
２１…循環区画室
２２…循環モータ
２３…循環ファン
２４…ヒータ
２５…吸気口
２６…吹出口
２７…換気区画室
２８…換気モータ
２９…換気ファン
３０…連結区画室
３１…吸気口
３２…通気口
３３…浴室切換ダンパ
３４…逆流防止ダンパ
４０…制御部
４１…トイレ切換ダンパ
４２…洗面所切換ダンパ
５１…換気室
５２…モータ
５３…換気ファン
５４…補助吸気切換ダンパ
５５…サーミスタ
【図１】
2005241160.tif 000003
【図２】
2005241160.tif 000004
【図３】
2005241160.tif 000005
【図４】
2005241160.tif 000006
【図５】
2005241160.tif 000007
【図６】
2005241160.tif 000008
【図７】
2005241160.tif 000009
【図８】
2005241160.tif 000010
【図９】
2005241160.tif 000011
【図１０】
2005241160.tif 000012
【図１１】
2005241160.tif 000013